(57)【特許請求の範囲】
【請求項１】
鍋搭載部を設けたガラス製のプレートと、
前記鍋搭載部に搭載された調理鍋を加熱する加熱コイルと、
該加熱コイルに電力を供給するインバータと、
該インバータが前記加熱コイルに供給する電力を制御するインバータ制御手段と、
前記プレートの上面に設けられ、調理の開始や停止をするときに用い長押し操作されたときに入力を受付けるスタートキーと、調理の火力を選定するときに用い該スタートキーより短い押し時間で入力を受付ける火力キーとを備えたタッチ式のキーからなる上面操作部と、
前記スタートキーを長押し操作した後に前記火力キーを操作した場合、前記火力キーを操作した後に前記スタートキーを長押し操作した場合に、前記インバータ制御手段を制御して前記加熱コイルに電力を供給し加熱を開始する制御手段と、を具備することを特徴とする誘導加熱調理器。
【発明の詳細な説明】
【技術分野】
【０００１】
本発明は、誘導加熱調理器に関するものである。
【背景技術】
【０００２】
ヒータの操作部を本体の上面に設けた操作部で行う加熱調理器において、操作部への不測の入力（使用者が意図しない入力）に対して安全性を向上させた加熱調理器として特許文献１に記載のものが知られている。特許文献１の加熱調理器では、外郭を構成する本体と、前記本体の上面に設けたプレートと、前記プレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記プレートの上面に備え、前記電気抵抗式発熱加熱手段の加熱開始入力手段は、入力開始操作禁止解除手段を操作することにより有効となる構成としており、この構成により、電気抵抗式発熱加熱手段の操作部は、誘導加熱部と同様にプレートの上面に設けられているため、調理者は電気抵抗式発熱加熱手段で調理する際にも離れた操作部に目線を移す必要もなく、調理物を見ながら火力調節等を行うことができ、使い勝手・操作性の著しい向上が図れるとともに、電気抵抗発熱加熱手段を使用する際には入力開始操作禁止解除手段を操作しなければならないので、意識的に操作することができ、不意の加熱開始に対する安全性も保てるものである。
【０００３】
【特許文献１】特開２００４−１１１０８９号公報
【発明の開示】
【発明が解決しようとする課題】
【０００４】
特許文献１の加熱調理器は、電気抵抗式発熱加熱手段の不意の加熱開始に対する安全性を確保するため、入力開始操作禁止解除手段を操作することによりプレート上面に設けられた加熱開始入力手段を有効としているが、入力開始操作禁止解除手段を必須の構成とするため、加熱開始までの操作が複雑になり直感的な操作が困難である。また、プレート裏の配線が複雑となりコスト増を招くという問題もある。誘導加熱コイルを用いた加熱調理器の不意の加熱開始を防止するために入力開始操作禁止解除手段を設ける構成も考えられるが、直感的な操作が困難，コスト増という同様の問題が生じる。
【０００５】
本発明は、誘導加熱コイルを用いた加熱調理器において、不意の加熱開始に対する安全性を確保しつつ、加熱開始までに要するボタン操作を単純化し、さらに、プレート裏の配線の単純化，低コスト化を図ることを目的とする。
【課題を解決するための手段】
【０００６】
請求項１の誘導加熱調理器は、鍋搭載部を設けたガラス製のプレートと、前記鍋搭載部に搭載された調理鍋を加熱する加熱コイルと、該加熱コイルに電力を供給するインバータと、該インバータが前記加熱コイルに供給する電力を制御するインバータ制御手段と、前記プレートの上面に設けられ、調理の開始や停止をするときに用い長押し操作されたときに入力を受付けるスタートキーと、調理の火力を選定するときに用い該スタートキーより短い押し時間で入力を受付ける火力キーとを備えたタッチ式のキーからなる上面操作部と、前記スタートキーを長押し操作した後に前記火力キーを操作した場合、前記火力キーを操作した後に前記スタートキーを長押し操作した場合に、前記インバータ制御手段を制御して前記加熱コイルに電力を供給し加熱を開始する制御手段と、を具備するものとする。
【発明の効果】
【００１０】
本発明の誘導加熱調理器によれば、不意の加熱開始に対する安全性を確保しつつ、加熱開始までに要するボタン操作を単純化し、さらに、プレート裏の配線の単純化，低コスト化を図ることができる。
【発明を実施するための最良の形態】
【００１１】
以下、本発明の実施例を添付図面に従って説明する。
【００１２】
図１から図９は本発明の誘導加熱調理器の一実施例を示している。図１，図２に示されている調理器は、プレート３上に三箇所の鍋載置部６ａ，６ｂ，６ｃと各鍋搭載部に搭載された鍋を加熱制御するときに用いる上面操作部９を設けたビルトイン型の誘導加熱調理器である。上面操作部９はガラス製のプレートを指で軽くタッチするだけで操作できるようになっており、凹凸が無いため容易に清掃できるようになっている。なお、プレート上に設けられたキーとしては、不意に触れた場合の誤動作を防ぐために１〜２秒程度の長押し操作されたときに入力を受け付けるキーと、素早い操作を可能にするために３０ｍ秒程度操作されたときに入力を受け付けるキーの２種類のキーを設けるものとする。
【００１３】
尚、本実施例は、キッチンに嵌め込むビルトイン型でなく、キッチンに載置する据置型の加熱調理器であっても差し支えない。
【００１４】
誘導加熱調理器の本体２は、システムキッチン１の上面から落とし込んで設置することで組み込まれる。設置後は誘導加熱調理器２の後述するロースター（グリル）４と操作パネル５がシステムキッチン１の前面部から操作できるようになっている。
【００１５】
図２は操作パネル５（操作部）が開閉機構になっているものである。この操作パネル５は、下方に設けられた回動軸を中心として操作パネル５の上方が前面側に倒れ、操作スイッチが上方側に向かって露出する所謂カンガルー式の操作パネルである。以後の説明は操作パネル５がカンガルー式開閉機構になっているものとして説明する。
【００１６】
調理を行う際の調理鍋（図示せず）は、本体２の上面に配置された耐熱ガラス等からなるプレート３上に載置される。
【００１７】
図示しない調理鍋は、プレート３に描かれた載置部６に載置されることで調理可能となる。載置部６は、本体２上面のプレート３の上面手前に載置部右６ａと載置部左６ｂが配置され、これら両載置部６ａおよび６ｂの間の奥（中央後部）に載置部中央６ｃが配置されている。そして、プレート３を挟んで各載置部６の下に調理鍋を加熱するための後述する加熱コイルユニット２５がそれぞれ設置されている。
【００１８】
載置部中央６ｃは位置的に調理者の手の届きにくい場所である。このため、手前の載置部右６ａ，載置部左６ｂに調理鍋が置かれた状態で、載置部中央６ｃ部に手を伸ばすと、載置部右６ａ，載置部左６ｂに置かれた調理鍋から調理中に発生する蒸気により、載置部中央６ｃで手を動かす調理は行いにくい。したがって、載置部中央６ｃで行う調理の種類は調理者があまり手を動かさなくても良い料理、主に煮込みや保温などの調理に適している。また、煮込みや保温は火力も弱くて済み、最大消費電力も限りがあることから、載置部中央６ｃに設置する加熱コイル１３ｃの火力を、載置部右６ａ及び載置部左６ｂに対応して設置されている加熱コイル右１３ａ及び加熱コイル左１３ｂより弱くし、消費電力が小さくなるよう設定されている。
【００１９】
図１〜図３において、プレート３の周囲端面を保護するためにプレート３の外周に設けられ、フレームの縁を覆うフレーム１４が設けられている。プレート３の手前の上端縁に取り付けられるフレーム前１４ａと、プレート３の後方上端縁に取り付けられるフレーム後１４ｂと、右側上端縁に取り付けられる１４ｃと、左側上端縁に取り付けられるフレーム左１４ｄから構成されている。本例は４ピースにフレームを分割しているが一体型でも２ピースでも何ピースでも可能であり、また、プレート３の４辺に取り付ける必要も無く、プレート３の手前だけ、後方だけ、前後の２辺だけ、もしくは左右の２辺だけでも良い。
【００２０】
本体２内部には、発熱部材である後述する加熱コイルユニット２５や電子部品が設けられており、これらを冷却するために本体２の外部から空気を吸込むための吸気口７が設けられている。この吸気口７は、本体２上面のフレーム後１４ｂ上の後述する排気口８の向かって右側に位置する。
【００２１】
吸気口７で吸入した空気は、本体２内部で発熱する後述する加熱コイルユニット２５や電子部品を冷却した後に、排気口８から本対外に排出される。また、この排気口８からは、後述するロースター４の廃熱も同時に排出され、この排気口８は本体２上面のフレーム後１４ｂ上にロースター４の位置する側に設けられている。
【００２２】
ロースター４は魚やピザ等を焼くためのもので、本体２前面部の左側もしくは右側に配置されている。本実施例では本体２前面に向かって左に配置されている。また、魚焼き専用ではないので、このロースター４をグリル若しくはオーブンと呼ぶこともある。
【００２３】
図６を用いてロースター４について詳説する。調理庫２６は、前面が開口した箱型をしており、内部にシーズヒータ等の発熱体よりなる上発熱体２７，下発熱体２８が設置されている。この調理庫２６の後方上部には排気出口２９が設けられている。なお、発熱体として上発熱体２７および下発熱体２８を設けた実施例としたが、上発熱体２７のみであってもよい。ただし、この場合は、調理物３０を焼いている途中で裏返す必要がある。
【００２４】
調理庫２６の前面開口部を塞ぐロースタードア３２には、その表側にハンドル１１が取り付けられ、裏側に受皿３１が取り付けられている。受皿３１は、調理庫２６内に前面開口部から出し入れ自在に収納されている。一方、受皿３１の中には焼網３３が載置され、その上に魚等の調理物３０を載せる。
【００２５】
調理庫２６内は、調理物３０を焼いたときに発生する煙や臭いを浄化する空気浄化用触媒３４が設けられている。空気浄化用触媒３４は、排気出口２９から入った煙や臭いが必ず空気浄化用触媒３４を通るように取り付けられている。
【００２６】
排気ファン３６を動作させると、受皿３１とロースタードア３２との間に設けられた空気取入口４２を介して調理庫２６内に空気が流入する。流入した空気は調理庫２６内部で発生した煙や臭いと共に空気浄化用触媒３４，排気通路３５を介して排気口８から外部に排出される。この空気浄化用触媒３４の触媒作用により、調理庫２６内で発生した臭いや煙が触媒の能力に応じて低減されつつ、強制的に排気口８から排気される。
【００２７】
空気浄化用触媒３４を加熱するための触媒ヒータ３７は、調理庫２６内で空気浄化用触媒３４の近傍に設置されている。これにより空気浄化用触媒３４が加熱され、触媒作用が発揮される。
【００２８】
調理庫２６内の温度は、調理庫２６の前面開口部側の上部と、受皿３１の側面下部に設けられたサーミスタ等の温度検知手段３８によって検知される。
【００２９】
上部にのみヒータを設けた片面焼きグリルの場合は、受皿３１の温度上昇を防ぐため受皿３１に水を入れて焼かなければならなかった。本実施例では、両面焼きとしたために、水を入れることができない。そこで、受皿３１を冷却するために、受皿３１の下部に冷却通路３９を設けた。吸引ファン４０が回転すると、空気取入口４２から流入した空気が受皿３１下部を流れて、受皿３１を冷却した後、調理庫２６の背面裏側を介して、排気口８から排気する。
【００３０】
排気フアン３６及び吸引ファン４０はフレーム後１４ｂの下部に設けられたモータ４１によって駆動される。排気ファン３６及び吸引ファン４０はモータ４１の軸にダイレクトに取り付けられている。モータ４１の冷却は、モータ４１の他端側の軸に設けられた自冷ファン４３により行う。
【００３１】
モータ４１及び自冷ファン４３は、フレーム後１４ｂの下部であって、本体２の後部に設けた遮熱室４４内に配置されている。遮熱室４４には、本体２の底面及び側面側に空気流入口４５が設けられ、この空気流入口４５から空気を取り入れ、上面に設けられた排出孔４６から冷却後の空気が流出される。
【００３２】
次に図４を用いて加熱コイルについて説明する。加熱コイルは鍋の渦電流を利用して鍋そのものを発熱させる誘導加熱コイル（誘導加熱手段）である。調理鍋（図示せず）を加熱するための加熱コイルユニット２５は、加熱コイル１３とコイルベース２４とフェライト（図示せず）から構成されている。加熱コイルユニット２５は、各載置部６のプレート３の下方であって、プレート３と加熱コイル１３との間に一定の隙間が開くように設置されている。この隙間は、後述する冷却風が流れるようにするためである。載置部右６ａの下方には加熱コイルユニット右２５ａが、載置部左６ｂの下方には加熱コイルユニット左２５ｂが、載置部中央６ｃの下方には加熱コイルユニット中央２５ｃが設けられている。
【００３３】
加熱コイル１３の巻線は表皮効果を抑制するためリッツ線を採用している。この加熱コイル１３には調理鍋（図示せず）を加熱するために後述するインバータ７２から数十ｋＨｚ，数百Ｖの電圧が印加される。
【００３４】
コイルベース２４は、加熱コイル１３を下から固定すると共に、コイルベース２４にはフェライト（図示せず）が埋設されている。
【００３５】
自動調理時など鍋の温度検知は、加熱コイル１３に埋設された温度検知素子２１により行われる。鍋底の温度はプレート３を介して間接的な温度が検出される。なお、図において加熱コイルユニット右２５ａと加熱コイルユニット２５ｂには温度検知素子２１が設置されているが、加熱コイルユニット中央２５ｃにも設置することでこの加熱コイルによる保温や煮込みの温度を管理できるようになる。
【００３６】
次に図５に基づいて、加熱コイルを励磁するインバータ及びその冷却について説明する。図５は誘導加熱調理器本体２の縦断面図であり、中央下部にはインバータを搭載した基板及び発熱素子を冷却する冷却マスである放熱フィンが記載されている。最下部には、左右の加熱コイル１３ａ，１３ｂを駆動するインバータを搭載した左右インバータ基板１８が配置され、その上段には、加熱コイル中央１３ｃ駆動する中央インバータ基板１７が配置されている。一般的に上段は下段の熱を受けやすいが、加熱コイル中央１３ｃは最大入力が他のコイルに比べて低いので発熱量が小さい。このため、加熱コイル中央１３ｃを駆動する中央インバータ基板１７を上段に配した。また、図９に示すように、左右インバータ基板１８には、加熱コイル右１３ａと加熱コイル左１３ｂを駆動するための電子部品が搭載され、後述するインバータ右７２ａとインバータ左７２ｂとインバータ制御手段右７３ａとインバータ制御手段左７３ｂが搭載されている。
【００３７】
図５に戻って、それぞれの基板には、電子部品で発熱した熱を効率よく冷却風と熱交換して電子部品の温度を下げるための放熱フィン２２，２３が設けられており、放熱フィン２３は放熱フィン２２より小さくなっている。
【００３８】
前述の如く、各加熱コイルの最大火力は加熱コイル右１３ａ，加熱コイル左１３ｂと比べ加熱コイル中央１３ｃは小さく設定されており、そのために中央インバータ基板１７での消費電力は左右インバータ基板１８よりも小さい。このため、電子部品の発熱量も左右インバータ基板よりも少なく、冷却に使用する放熱フィンも小さく済む。このため、中央インバータ基板１７に小さな放熱フィン２３を使用し、左右インバータ基板１８には大きな放熱フィン２２を使用している。
【００３９】
発熱する各部品は送風ファン２０により送られてきた空気によって冷却される。吸気口７から吸込まれた冷却用の外気は、左右インバータ基板１８や中央インバータ基板１７や制御基板１９を納めるための基板ケース１５内を通流し、放熱フィン２２，２３の熱を奪った後、各加熱コイルを冷却して排気口８から外部に排出する。
【００４０】
図４に示された基板ケース１５は、ロースター４が設置されている加熱コイルユニットとは反対の加熱コイルユニット２５の下方に設置されている。本実施例では加熱コイルユニット右２５ａ下側に設置され、基板ケースに基板を収めることで調理時に加熱コイル１３やロースター４からのふく射熱から基板を守り、また基板ケース１５には段積みされた基板や加熱コイルユニットや上面表示部に冷却用空気が効率よく行き渡るように冷却用空気が通る風路が形成されている。
【００４１】
前記した基板ケース１５内には全ての回路が収まりきらないので、極端に発熱しない回路の一部品，大電流を通電しない部品，加熱調理器のシステム全体を取りまとめる制御回路、及びインバータ回路の制御部を搭載した制御基板１９が基板ケース１５の上方に設置されている。
【００４２】
次に図８を用いて、加熱コイル１３の操作について説明する。加熱コイル１３の操作は、プレート３に設けられた上面操作部９によって行われる。鍋を置く載置部右６ａ，載置部中央６ｃ，載置部左６ｂに対応して右から、上面操作部右９ａ，上面操作部中央９ｃ，上面操作部左９ｂが配置されている。これは、操作者が直感的に鍋と操作部との関係を理解できるような配置である。
【００４３】
図より明らかなように上面操作部右９ａと上面操作部左９ｂは同じキー配列になっている。これは、加熱コイル中央１３ｃの機能を他の加熱コイルよりも少なくした結果である。
【００４４】
以下、加熱コイル右１３ａの操作を代表して説明する。４８は調理の開始や停止をするときに用いる切／スタートキーで、調理中はＬＥＤランプ５３が点灯する。切／スタートキー４８は、不意に触れた場合の誤動作を防ぐために１〜２秒程度の長押し操作されたときに入力を受け付けるキーである。調理の火力は火力キー４９によって選定する。火力キー４９は素早い操作を可能にするために３０ｍ秒程度操作されたときに入力を受け付けるキーである。とろ火，弱火，中火，強火の四段階のキーに分かれ、必要な火力を一回の操作で設定できるように個別にキーが設けられている。本実施例の誘導加熱調理器では切／スタートキー４８を操作しただけ、あるいは、火力キー４９を操作しただけでは加熱調理は開始されず、切／スタートキー４８を操作した後に火力キー４９を操作した場合、あるいは、火力キー４９を操作した後に切／スタートキー４８を操作した場合に加熱調理を開始するものとする。
【００４５】
各火力の目安は、例えば最大で１２段階の火力調整ができた場合、各火力と消費電力の関係は、「１」段階は１００Ｗ相当、「２」段階は２００Ｗ相当、「３」段階は３００Ｗ、「４」段階は４００Ｗ、「５」段階は５００Ｗ、「６」段階は８００Ｗ、「７」段階は１.１ｋＷ、「８」段階は１.４ｋＷ、「９」段階は１.６ｋＷ 、「１０」段階は２ｋＷ、「１１」段階は２.５ｋＷ 、「１２」段階は３ｋＷである。各段階の数字は後述する上面表示部１０に火力の目安として表示する数字である。また、火力表記と実際の段階表示の関係は、とろ火は「１」、弱火は「２」，「３」，「４」，「５」、中火は「６」，「７」，「８」、強火は「９」，「１０」、ハイパワーは「１１」，「１２」が割り当てられる。火力キー４９は四段階の火力の代表的な火力に直接設定でき、とろ火キー４９ａは「１」、弱火キー４９ｂは「４」、中火キー４９ｃは「７」、強火キー４９ｄは「１０」の火力に設定でき、設定したキー部分にあるＬＥＤランプ５４が点灯する。
【００４６】
５１は主に煮込みや保温などタイマー調理を実施するときに選択するタイマーキーである。５２は自動調理の炊飯，揚げもの，湯沸し等を選択するためのメニューキーで、メニューキー５２を押すことで後述する上面表示部１０にメニューが表示され、メニューキー５２を押すたびに表示されているメニューが切り替わり、これによって使用するメニューを選択する。
【００４７】
また、火力の調節やタイマー調理時の時間の設定，炊飯時における米の量の設定，自動調理の仕上がり調整の設定，揚げものをする時の油温の設定を設定キー５０により行うことができる。この設定キー５０は、設定時の数量などを増やすＵＰキー５０ａと減らすＤＯＷＮキー５０ｂからなっており、設定キー５０部にあるＬＥＤランプ５５が点灯時は設定キー５０が有効であることを示し、消灯時は無効であることを示している。
【００４８】
例えば、火力の調節を設定キー５０で行う場合を説明する。まず中火キー４９ｃを押下して火力を「７」に設定する。その後、設定キー５０のＵＰキー５０ａを二回押すと、後述する上面表示部１０に表示されていた火力を示す数字が「７」から「８」、「８」から「９」へと変更され、強火「９」が設定される。これに伴って、火力キー４９部のＬＥＤランプ５４も、中火キー４９ｃのＬＥＤランプが消灯して強火キー４９ｄのＬＥＤランプが点灯する。他の設定についても同様で、たとえばタイマーキー５１を押した以降の設定キー５０の操作は時間設定用となる。なお、上面操作部左９ｂは上面操作部右９ａと同じ操作，配列であるので説明を省略する。
【００４９】
次に上面操作部中央９ｃについて説明する。載置部中央６ｃの主な調理は保温や煮込みである。この理由は前述の如くである。従って、加熱コイル中央１３ｃの火力も他の加熱コイルの火力よりも小さく設計されている。このため、火力表記としてはとろ火，弱火，中火までで足り、設定キー６２をサイクリック式としても、最大３回押せば元に戻るので、手前２つの加熱コイル２５ａ，２５ｂのように火力毎に対応した火力設定キーを設けていない。これによって、キーの設置スペースを確保することができる。なお、自動調理メニューの内容は、火力が制限されている設計となっていることから煮込み、保温などに限定している。
【００５０】
図３及び図８に示すように、上面操作部９に配置された複数のキーは、フレーム前１４ａに本体２の幅方向に一列に並んで配置されている。そして、本体２の向かって右から上面操作部右９ａ，上面操作部中央９ｃ，上面操作部左９ｂの順で配置されている。しかし、単に横一列に各キーを配列すると、その境が使用者にとって判り難くなってしまう。このため、各上面操作部毎に枠で囲う、色を分けて囲う、キーの色を分けるといった工夫が必要である。本実施例では、上面操作部毎に枠線で囲うと共に、上面操作部右９ａと上面操作部中央９ｃとの間、および上面操作部中央９ｃと上面操作部左９ｂの間に、最低キーの幅１.５ 個分以上の間隔をあけた。これにより操作者は操作キーの分類が分りやすいといった視覚的，触覚的効果がある。
【００５１】
次に前述の操作の結果を反映する表示について説明する。上面操作部９のキー操作に対応した内容は、上面表示部１０に表示される。表示する内容は、上面操作部９で設定した火力表示，タイマー調理用の時間表示，揚げもの用の設定油温の表示等々である。この上面表示部１０は、本体２の上面に置かれたプレート３の手前側で、かつプレート３の裏側に配置されている。したがって、表示を見るときはプレート３を介してとなるため、プレート３越しに表示内容を見ることができるように上面表示部１０の表示部分は加工が施されている。また、設定した火力がイメージで分りやすいように表示部のバックライトの色が設定されている。本実施例では、とろ火と弱火は緑色表示，中火がオレンジ色表示，強火とハイパワーが赤色表示されるようにしている。
【００５２】
上記実施例では、各上面操作部９に対応して、上面表示部右１０ａ，上面表示部中央１０ｃ，上面表示部左１０ｂとに分け、各上面表示部の配置はフレーム前１４ａに沿って直線的に配置したが、視認性を上げるために上面表示部中央１０ｃを上面表示部右１０ａ及び上面表示部左１０ｂより載置部中央６ｃ側に寄せて配置してもよい。
【００５３】
上面操作部９と上面表示部１０は、それぞれプレート３上の載置部６毎に設けられており、各載置部６から目線を直線的に手前側に移すと、概ねその直線上に各載置部６に対応した上面操作部９と上面表示部１０が存在するように配置され、なおかつ上面表示部１０よりも上面操作部９の方が調理者側に位置するように配置されている。
【００５４】
次にロースター４関連の操作部について説明する。図１，図２に示すように、ロースター４の向かって右隣には、ロースター４の加熱具合を操作するロースター操作部１２（１２ａ）とロースター表示部６５（６５ａ）を配置した操作パネル５が配置されている。図２は操作パネル５を閉じた状態が示され、図３は図２のカンガルー式開閉機構の操作パネル５を開いた状態が示されている。調理時に操作者が立った状態でロースター操作部１２の操作やロースター表示部６５の確認ができるようになっている。
【００５５】
図７に基づいて各種キーについて説明する。グリル選択メニューキー６６によって魚焼きとグルメ（各種自動調理）を選択する。魚焼きキー６６ａを押す度に、ロースター表示部６５に表示された丸焼き，切身・ひもの，つけ焼き，手動のＬＥＤランプがサイクリックに切り替わり、点灯しているメニューが選択される。同様に、グルメキー６６ｂをサイクリックに押下することによりピザ，ホイル焼き，グラタンのＬＥＤの点灯状態が切り替わり、点灯しているメニューが選択される。
【００５６】
メニューを選択した後、調理の仕上がり（焼き加減）を、設定キー６８によって設定することができる。アップキー６８ａ若しくはダウンキー６８ｂを押下するたびに、ロースター表示部６５の弱・中・強のＬＥＤランプが点灯することで選択可能となる。そして、タイマーキー６９を押下して調理時間を選択することができる。このときも設定キー６８によってタイマー時間（加熱終了時間）を選択することができる。各種の設定が済むと、選択したメニューの調理を開始，停止，取消するための切／スタートキー６７を押下することによって、調理が開始される。なお、タイマーが設定されている場合であっても、この切／スタートキーを押下することによって、調理を停止することができる。
【００５７】
また、本実施例に係る加熱調理器においては、子供によるいたずらを防止する機能が設けられている。チャイルドロック７１を３秒間押し続けることでロックし、再び３秒間押し続けることで解除することができる。
【００５８】
そして、載置部右６ａ，載置部中央６ｃ，載置部左６ｂに置かれた調理鍋の加熱を行う場合には、上面操作部右９ａ，上面操作部中央９ｃ，上面操作部左９ｂのスイッチ類を押すことで加熱コイルの出力の調整を行う。上面操作部９の近傍には加熱コイルの出力を表示する表示部を設けているので、出力の調整がし易い。また、ロースター４（グリル部）で魚やピザを焼く場合には、このロースター４（グリル部）に併設された操作パネル５のスイッチを操作する。この操作パネル５には、ロースター４（グリル部）のスイッチのみ設けているので、誤って加熱コイルを操作するといった誤操作を防止できる。
【００５９】
さらには、スイッチ類を大きくしたり、スイッチ同士の間隔を大きく取れるので、誤ったスイッチが押されるのを防止することができる。
【００６０】
本実施例によれば、本体上面に向かって配置されプレート３で覆われた加熱手段の操作部をプレート３に配置し、ロースター４（グリル部）の操作部を本体前面に配置しているので、加熱手段とスイッチ類の対応が容易に把握でき、操作性が向上する。
【００６１】
次に制御について図９を用いて簡単に説明する。操作・表示部７５は、これまで説明した上面操作部９，ロースター操作部１２，上面表示部１０、及びロースター表示部６５から構成されている。操作・表示部７５の操作部で入力されたメニュー，火力情報，調理のスタート・切情報等を後述する制御手段７４に入力信号８０として送り、制御手段７４で認識した情報，調理の進行状況などの処理状況を表示信号７９として操作・表示部７５に送り、上面表示部１０とロースター表示部６５で表示される。
【００６２】
制御手段７４は、前記操作・表示部７５で設定された内容及び事前に組み込まれた自動調理などのプログラムに基づき加熱部を制御する。設定された内容に基づいて調理の開始、停止、火力の設定情報を制御信号７８（制御信号８５）を経て後述するインバータ制御手段７３若しくはヒータ制御手段８２に送る。そして、加熱部に設けられた温度を検出する温度検知素子２１（温度検知手段３８）から温度情報を乗せた制御信号７８（制御信号８５）を受信することで温度情報を受ける。また、同ブロック図に図示していないが送風ファン２０の制御も行い、調理中は送風ファンを動作させる。
【００６３】
インバータ制御手段７３は、制御手段７４の指示に基づいて加熱コイル１３への電力の設定，通電の開始及び停止，加熱コイル１３の消費電力を監視し補正する。そして、インバータ７２に対してインバータ制御信号７６を送出することでインバータ７２を制御（後述）する。加熱コイル１３の消費電力を監視し補正することについては、後述するインバータ７２から検出信号７７によって送られてくる各加熱コイル１３の入力電流及び入力電圧から消費電力を算出し、火力が設定値になるようにインバータ制御信号７６により後述するインバータ７２を制御する。
【００６４】
インバータ７２は、加熱コイル１３に電力を供給するための手段であり、インバータ制御手段７３からの指示に基づいて加熱コイル１３の電源の供給を行う。インバータ７２はインバータ制御手段７３同様に各加熱コイル１３毎に設けられ、インバータ右７２ａ，インバータ左７２ｂ，インバータ中央７２ｃが設けられている。そして、各加熱コイル１３の入力電圧及び入力電流を検出して各検出信号７７に乗せてインバータ制御手段７３に送る。ヒータ制御手段８２は、制御手段７４からの信号を元に、ロースター４の調理庫２６内の温度を監視しながらヒータ８１のＯＮ／ＯＦＦを制御する。調理庫２６の温度を温度検知手段３８により検出し、検出信号８３によってヒータ制御手段８２に入力され、制御手段７４からの制御信号８５による指示により上発熱体２７と下発熱体２８への通電のＯＮ／ＯＦＦを制御している。
【００６５】
なお、ヒータ８１は、ロースター４の上発熱体２７，下発熱体２８，調理庫２６内の温度情報を検出するための温度検知手段３８とを含めた総称としている。
【００６６】
本実施例は以上の構成よりなるもので、次にその動作について説明する。
【００６７】
例えば、載置部右６ａに鍋を置いて、使用者が初めは強火の火力を使用し、その後は中火で煮込む料理を作ろうとしている状況で説明する。
【００６８】
上面操作部右９ａの中火の火力キー４９ｃを操作すると、押したキー信号（中火）が入力信号８０となって制御手段７４に送られ、制御手段７４は、火力キー４９ｃが入力されたことを認識し、この内容を表示信号７９として操作・表示部７５に伝達し、表示部である火力キー４９ｃのＬＥＤランプ５４を点灯させる。そして、上面表示部右１０ａに中火の火力であることを示す「７」の数字が点灯し、バックライト色はオレンジ色となり中火に設定されたことを示す。所定期間（例えば１０秒）内に、上面操作部右９ａの切／スタートキー４８を長押し操作すると同じ伝達経路（以後同じ信号経路の説明は省略する）を経てＬＥＤランプ５３を点灯させるとともに加熱が開始される。一方、所定期間内に切／スタートキー４８が長押し操作されない場合は、火力キー４９ｃが不意に押されたと判断できるため、制御手段７４は火力キー４９ｃのＬＥＤランプ５４や「７」の数字やバックライトを消灯し、切／スタートキー４８の入力待ち状態をキャンセルする。
【００６９】
あるいは、上面操作部右９ａの切／スタートキー４８を長押し操作すると、押したキー信号（スタート）が入力信号８０となって制御手段７４に送られ、制御手段７４は、切／スタートキー４８が入力されたことを認識しＬＥＤランプ５３を点滅させる。所定期間（例えば１０秒）内に、上面操作部右９ａの中火の火力キー４９ｃを操作すると、押したキー信号（中火）が入力信号８０となって制御手段７４に送られ、制御手段７４は、火力キー４９ｃが入力されたことを認識し、この内容を表示信号７９として操作・表示部７５に伝達し、表示部である火力キー４９ｃのＬＥＤランプ５４を点灯させる。そして、上面表示部右１０ａに中火の火力であることを示す「７」の数字が点灯し、バックライト色はオレンジ色となり中火に設定されたことを示すとともに、ＬＥＤランプ５３を点灯させ加熱を開始する。一方、所定期間内に火力キー４９ｃが操作されない場合は、切／スタートキー４８が不意に押されたと判断できるため、制御手段７４は切／スタートキー４８のＬＥＤランプ５３を消灯し、火力キー４９ｃの入力待ち状態をキャンセルする。
【００７０】
制御手段７４が、調理開始を指示すると、制御信号右７８ａによってインバータ制御手段右７３ａに設定された火力が「７」であることを伝送し、これを受けたインバータ制御手段右７３ａは設定された火力になるようにインバータ右７２ａの制御を行い加熱コイル右１３ａの電力制御を行う。インバータ右７２ａは、入力電圧及び入力電流の検出値を検出信号右７７ａに乗せてインバータ制御手段右７３ａに伝達し、インバータ制御手段右７３ａでは検出値から消費電力を求め、設定された火力が「７」で決められている消費電力になるように加熱コイル右１３ａの電力制御を行う（以後同じ信号経路の説明は省略する）。
【００７１】
また、制御手段７４は、調理のスタートを認識すると送風ファン２０をＯＮする。送風ファン２０がＯＮすると、送風ファン２０は吸気口７から本体２外側の空気を吸込み、送風ファン２０から送風される風量は各発熱する部品に分配され、各部品を冷却しながら排出口８から排出される。
【００７２】
送風ファン２０から送風される空気は主に基板ケース１５内の左右インバータ基板１８，中央インバータ基板１７，加熱コイルユニット右２５ａ，加熱コイルユニット左２５ｂ，加熱コイルユニット中央２５ｃに通風される。左右インバータ基板１８と中央インバータ基板１７を冷却した空気は制御基板１９と上面表示部１０と上面操作部９と加熱コイルユニット２５へと送られ、加熱コイルユニット２５では送風ファン２０からの直接の空気と基板を通ってきた空気とが一緒になって冷却し、これらの空気は全て排気口８から排出される。送風ファン２０はシロッコファン，ターボファンの何れでも良い。
【００７３】
次に火力を中火から強火に変える場合を説明する。上面操作部右９ａの強火の火力キー４９ｄを押すと、火力キー４９ｄのＬＥＤランプ５４が点灯し、上面表示部１０ａの強火の火力を示す１０の数字が点灯し、かつバックライトの色は赤色になる。
【００７４】
以上のように、本実施例の誘導加熱調理器では、切／スタートキー４８を長押し操作しただけ、あるいは、火力キー４９を操作しただけでは加熱調理は開始されず、切／スタートキー４８を長押し操作した後に火力キー４９を操作した場合、あるいは、火力キー４９を操作した後に切／スタートキー４８を長押し操作した場合に加熱調理を開始することにしたので、不意の加熱開始に対する安全性を確保しつつ、加熱開始までに要するボタン操作を単純化し、さらに、プレート裏の配線の単純化，低コスト化を図ることができる。
【００７５】
また、本実施例では、切／スタートキー４８を長押し操作した後の所定期間内に火力キー４９を操作した場合、あるいは、火力キー４９を操作した後の所定期間内に切／スタートキー４８を長押し操作した場合に加熱調理を開始することとしたが、切／スタートキー４８を長押し操作した後の所定期間内に火力キー４９を操作しなかった場合、あるいは、火力キー４９を操作した後の所定期間内に切／スタートキー４８を長押し操作しなかった場合に、キー入力の待ち状態をキャンセルするので、不意に切／スタートキー４８または火力キー４９が操作されてしまった場合に誤って加熱調理を開始するのを防止することができる。
【００７６】
なお、以上の実施例では、調理の開始や停止を切／スタートキー４８で制御する例を用いて説明したが、切／スタートキー４８をスタートキーと切キーに分けて設けても良い。この場合、加熱を開始するには、火力キー４９を押してから所定期間（例えば１０秒）内に、スタートキーを押すと加熱が開始され、所定期間内にスタートキーが押されない場合は、スタートキーの入力待ち状態をキャンセルする。あるいは、スタートキーを押してから所定期間（例えば１０秒）内に火力キー４９を押すと加熱が開始され、所定期間内に火力キー４９が押されない場合は、火力キー４９の入力待ち状態をキャンセルする。このように構成することで、切／スタートキー４８をスタートキーと切キーに分けて設けた場合も同等の効果を得ることができる。
【図面の簡単な説明】
【００７７】
【図１】ビルトイン型の誘導加熱調理器をシステムキッチンに収納した状態の斜視図である。
【図２】操作パネル部がカンガルー式開閉機構部となっている誘導加熱調理器の斜視図である。
【図３】誘導加熱調理器の上面を示す説明図である。
【図４】誘導加熱調理器の上面のプレートを外し加熱コイルが見える状態を示す説明図である。
【図５】誘導加熱調理器の側面から見た内部構造を示す断面図である。
【図６】ロースターの構成を示す説明図である。
【図７】誘導加熱調理器のカンガルー式開閉機構の操作パネル部にあるロースター操作部を示す説明図である。
【図８】誘導加熱調理器の上面操作部を示す説明図である。
【図９】誘導加熱調理器の加熱部とその制御を説明するブロック図である。
【符号の説明】
【００７８】
１  システムキッチン
２  本体
３  プレート
４  ロースター
５  操作パネル
６  載置部
９  上面操作部
１０  上面表示部
１２  ロースター操作部
１３  加熱コイル
１７  中央インバータ基板
１８  左右インバータ基板
２０  送風ファン
６５  ロースター表示部
７２  インバータ
７３  インバータ制御手段
７４  制御手段
７５  操作・表示部
８１  ヒータ
８２  ヒータ制御手段
【図１】
0004969351.tif 000002
【図２】
0004969351.tif 000003
【図３】
0004969351.tif 000004
【図４】
0004969351.tif 000005
【図５】
0004969351.tif 000006
【図６】
0004969351.tif 000007
【図７】
0004969351.tif 000008
【図８】
0004969351.tif 000009
【図９】
0004969351.tif 000010